(57)【特許請求の範囲】
【請求項１】
投票券購入期間を複数の時間帯に分割し、時間帯毎にオッズを算出するオッズ算出手段と、
この算出された時間帯毎のオッズを投票券発売所に送出する送出手段を備えたセンターと、
投票券の発売時に発売時刻を投票券へ記入する記入手段と、
投票券購入の申込み時に投入された外れ投票券に対して、この外れ投票券を購入した時間帯に応じたポイントを算出して、このポイントの合計額に応じた金額を換算するポイント算出手段と、
このポイント算出手段の算出した金額と、前記投票券購入に必要な金額とが一致するか否かを比較し、不足している場合に不足額を算出する算出手段と、
この不足額を報知する報知手段を備えた投票券発売機と、
センターから送出されたオッズを表示する表示手段と、
投入された的中券に対してその投票券に記入された発売時刻が、センターから送出された前記時間帯のどの時間帯であるかを判断し、前記時間帯毎に算出されたオッズにもとづき前記判断した時間帯に対応するオッズで払戻を行う払戻機を備えた投票券取扱所を具備したことを特徴とする時間帯分割投票方式。
【請求項２】
前記ポイントは、投票券購入終了時に近い時間帯に購入した投票券に対する程小さくしたことを特徴とする請求項１記載の時間帯分割投票方式。
【発明の詳細な説明】
【０００１】
【発明の属する技術分野】
本発明はトータリゼータ方式における時間帯分割投票方式に係り、特に投票券の発売開始から締切りまでの時間帯を複数に区分して、早期購入者に対し優遇するサービスを付加したものに関する。
【０００２】
【従来の技術】
例えば競馬では、勝ち馬投票券（以下投票券という）の購入は、発売開始から終了までの時間ならいつでも購入することができ、また早く購入した場合でも終了近くに購入した場合でも的中した券に関する払戻金は同等であり、早く購入したことにもとづくサービスはない。
【０００３】
従来のトータリゼータ方式を図６により簡単に説明する。
【０００４】
Ｓ６１．発券開始によりフアンは投票券を購入することができる。
【０００５】
Ｓ６２．レースの終了により購入した投票券の的中、不的中が確定する。
【０００６】
Ｓ６３．的中券に対しては最終オッズに相当する払戻金が払戻される。そしてこのとき的中券は払戻機により回収され、ゴミになることはない。
【０００７】
Ｓ６４．しかし不的中券（以下外れ券という）についてはフアンが廃棄する。
【０００８】
【発明が解決しようとする課題】
このように、現在のトータリゼータ方式では、投票券を購入できる時間は発売開始から終了までの時間ならいつでも購入することができ、しかも早く買っても遅く買っても、つまりどの時点で購入しても、的中した券に関する払戻金は同等である。
【０００９】
このような現在の方式では、投票券購入者としてはなるべく最終オッズに近い段階で購入しようとする。すなわちこのように最終の締切り時間間近の状態で投票券を購入した方がフアンの多数心理が現れ、勝ち馬投票に関する信頼度が高まるものと思われる。
【００１０】
この方法で運用すると、投票券の発売終了間際にフアンが発売機に殺到するため、サービス低下を防ぐために発売機の設置台数を増加することが必要となる。購入希望者が購入できなくなることを防止するためには、この設置台数が非常に大となって設備投資も膨大になり、フアンにも迷惑をかけることになる。
【００１１】
しかも、従来では、外れ券はゴミとなっていた。そのゴミも大部分はゴミ箱には捨てられず、競技場や投票券取扱所等で投げ捨てられていて、その清掃にも余分な設備投資費用や人件費が必要である。
【００１２】
従って本発明の目的は、このような問題点を改善した時間帯分割投票装置を提供することである。
【００１３】
【課題を解決するための手段】
本発明の原理を図１により説明する。
【００１４】
図１（Ｂ）に示す如く、あるレースの投票券の発売開始時刻をＴｓとし、終了時刻をＴ0 としたとき、この時間帯Ｔ0 〜Ｔｓを例えば４つの期間に分け、Ｔｓ〜Ｔ3 を初期間、Ｔ3 〜Ｔ2 を第２期間、Ｔ2 〜Ｔ1 を第３期間、Ｔ1 〜Ｔ0 を最終期間とする。そして図１（Ａ）に示す如く、初期間にフアンが購入した投票券が的中したとき、時刻Ｔ3 におけるオッズ（初期間オッズという）に相当する払戻金を支払い、第２期間に購入した投票券が的中したとき、時刻Ｔ2 におけるオッズ（第２期間オッズという）に相当する払戻金を支払い、第３期間に購入した投票券が的中したとき、時刻Ｔ3 におけるオッズ（第３期間オッズという）に相当する払戻金を支払い、最終期間に購入した投票券が的中したとき最終オッズに相当する払戻金を支払う。
【００１５】
投票券が外れ券となった場合には、初期間に購入した投票券に対してはポイントＰ3 を、第２期間に購入した投票券に対してはポイントＰ2 を、第３期間に購入した投票券に対してはポイントＰ1 を、最終期間に購入した投票券に対してはポイントＰ0 を、その投票券の金額に無関係に、１枚毎に付与する。ただしこのポイントは、投票券を購入するときに投票券購入申込みカードと同時に使用したとき有効であり、ポイントの値はＰ3 ＞Ｐ2 ＞Ｐ1 ＞Ｐ0 であり、ポイントの合計額に応じた金額に換算されて、投票券購入代金の一部あるいは全部に使用することができる。
【００１６】
例えばＰ3 を１５ポイント（Ｐｔ）、Ｐ2 を１２ポイント、Ｐ1 を８ポイント、Ｐ0 を５ポイントとし、１ポイント１円と換算した場合、平均して外れ券１０枚で１００円の投票券を１枚購入することができる。
【００１７】
本発明の前記目的は、下記（１）、（２）により達成することができる。
【００１８】
（１）投票券購入期間を複数の時間帯に分割し、時間帯毎にオッズを算出するオッズ算出手段と、この算出された時間帯毎のオッズを投票券発売所に送出する送出手段を備えたセンターと、投票券購入の申込み時に投入された外れ投票券に対して、この外れ投票券を購入した時間帯に応じたポイントを算出して、このポイントの合計額に応じた金額を換算するポイント算出手段と、このポイント算出手段の算出した金額と、前記投票券購入に必要な金額とが一致するか否かを比較し、不足している場合に不足額を算出する算出手段と、この不足額を報知する報知手段を備えた投票券発売機と、センターから送出されたオッズを表示する表示手段と、的中券に対して、センターから送出された前記時間帯毎に算出されたオッズにもとづき払戻を行う払戻機を備えた投票券取扱所を具備したことを特徴とする時間帯分割投票装置。
【００１９】
（２）前記ポイントは、投票券購入終了時に近い時間帯に購入した投票券に対する程小さくしたことを特徴とする前記（１）記載の時間帯分割投票装置。
【００２０】
これにより下記の作用効果を奏することができる。
【００２１】
（１）早期に購入する場合、最終オッズよりも払戻金が高くなる場合もあり、早期購入が行われ易くなり、投票券購入の混雑が緩和され、投票券発売機の設置台数を抑制できる。また外れ投票券に対してポイントを付与し、このポイントに応じた金額を求め、この金額を投票券購入代金の一部あるいは全部に使用することができるので、外れ券を投票券の購入に有効利用することができるため、レース終了後に回収されず、ユーザが廃棄する外れ券の枚数が大幅に減少することになり、競技場等の周囲の美観を保つのみならず、その清掃費を大幅に節約することができる。
【００２２】
（２）ポイントを投票券の発売終了時に近い程小さく設定したので、ユーザは早めに投票券を購入することになり、終了間際に投票券の購入の集中することが大きく緩和されるので、投票券発売機の設置台数をこの集中緩和のために増設する必要がなくなる。
【００２３】
【発明の実施の形態】
本発明の一実施の形態を図２〜図５にもとづき、他図を参照して説明する。図２は本発明におけるセンターの構成説明図、図３は本発明における投票券発売機の構成説明図、図４は本発明における投票券発売機の動作説明図、図５は本発明の投票券発売機における外れ券のポイント演算動作説明図である。
【００２４】
図中、１はセンター、２はＣＰＵ、３は主記憶、４は入力制御部、５は表示部、６はファイル、７はタイマー、８は期別照合テーブル、１１はオッズ算出部、１２は期限出力部、１３は初期間オッズ保持部、１４は第２期間オッズ保持部、１５は第３期間オッズ保持部、１６は最終オッズ保持部、１７は出力制御部、２０−０〜２０−ｎは投票券取扱所、２１は表示装置、２２は的中券払戻機、２３は投票券発売機、３１は申込カード投入部、３２は外れ券投入部、３３は紙幣投入部、３４はコイン投入部、３５はタイマー、３６は時刻記入部、３７はＣＰＵ、３８は主記憶、３９は表示部、４０はファイル、４１は投票券である。
【００２５】
センター１は、競馬場で開催されたレースの各種データを処理するものであり、例えば各投票券取扱所から伝達された投票券の発売データにもとづきレース毎のオッズを作成し、これを各投票券取扱所に送出したり、各レースに対する初期間オッズ、第２期間オッズ、第３期間オッズ、最終オッズを保持して、レース終了直後にこれらを各投票券取扱所に送出するものである。このような各処理を行うため、センター１ではＣＰＵ２、主記憶３、入力制御装置４、表示部５、ファイル６、出力制御部７等を有するデータ処理装置が設置されている。
【００２６】
ＣＰＵ２は、各レース毎の投票券の発売データにもとづきレース毎のオッズを算出したり、各レースの初期間オッズ、第２期間オッズ、第３期間オッズ、最終オッズを保持したり、投票券の発売時間帯に応じて投票券の発売時間が初期間〜最終期間のいずれに該当するのかを示す期別照合テーブル８を作成したり、これらを送出するものである。このため、オッズ算出部１１、期限出力部１２、初期間オッズ保持部１３、第２期間オッズ保持部１４、第３期間オッズ保持部１５、最終オッズ保持部１６、出力制御部１７等を有する。
【００２７】
主記憶３は、ＣＰＵ２が演算を行うためのプログラムやデータを一時保持するものである。
【００２８】
入力制御部４はオッズ算出のために各投票券取扱所２０−０〜２０−ｎから伝達された投票券のレース毎の発売データを入力したり、また初期間オッズ、第２期間オッズ、第３期間オッズ、最終オッズを決定するために必要な、各レース毎の期間オッズ決定時刻Ｔ3 〜Ｔ1 あるいは時刻Ｔ0 近傍の締切り信号を入力したりするものである。
【００２９】
表示部５は、ＣＰＵ２の演算処理に必要なデータの入力をオペレータに指示したり、その演算状態をオペレータに表示するものである。
【００３０】
ファイル６は、ＣＰＵ２の動作に必要なプログラムやデータを保持したり、レース毎の初期間オッズ〜最終オッズを保持するものである。
【００３１】
オッズ算出部１１は各投票券取扱所２０−０〜２０−ｎから伝達されるレース毎の投票券の発売データにもとづき、各レースのオッズを算出するものである。
【００３２】
期限出力部１２は、図１（Ｂ）で示す、各レース毎の期間オッズ決定時刻Ｔ3 〜Ｔ1 及び時刻Ｔ0 近傍の締切り信号を、初期間オッズ保持部１３、第２期間オッズ保持部１４、第３期間オッズ保持部１５、最終オッズ保持部１６等に通知するものである。
【００３３】
初期間オッズ保持部１３は、図１（Ｂ）で示す時刻Ｔ3 のオッズすなわち初期間オッズを保持するものであり、期限出力部１２から出力された時刻Ｔ3 と、タイマー７から出力された時刻とが一致したとき、オッズ算出部１１から伝達されたオッズを保持するものである。この初期間オッズは日付け、レース番号が付与され、ファイル６に格納される。
【００３４】
第２期間オッズ保持部１４は、図１（Ｂ）で示す時刻Ｔ2 のオッズすなわち第２期間オッズを保持するものであり、期限出力部１２から出力された時刻Ｔ2 とタイマー７から出力された時刻とが一致したとき、オッズ算出部１１から伝達されたオッズを保持するものである。この第２期間オッズは日付け、レース番号が付与され、ファイル６に格納される。
【００３５】
第３期間オッズ保持部１５は、図１（Ｂ）で示す時刻Ｔ1 のオッズすなわち第３期間オッズを保持するものであり、期限出力部１２から出力された時刻Ｔ1 とタイマー７から出力された時刻とが一致したとき、オッズ算出部１１から伝達されたオッズを保持するものである。この第３期間オッズは日付け、レース名が付与され、ファイル６に格納される。
【００３６】
最終オッズ保持部１６は、図１（Ｂ）で示す最終オッズを保持するものであり、期限出力部１２から伝達された、競走馬の発走にともなう締切り信号が送出されたとき、オッズ算出部１１から伝達されたオッズを保持するものである。この最終オッズは日付け、レース番号が付与され、ファイル６に格納される。なお締切り時点と発走予定時刻とのオッズはほとんど等しいので、図１（Ｂ）で示す時刻Ｔ0 つまり発走予定時刻Ｔ0 におけるオッズを最終オッズとして保持、格納することもできる。
【００３７】
出力制御部１７は、締切り信号が伝達された直後に、ファイル６に保持されている前記初期間オッズ、第２期間オッズ、第３期間オッズ、最終オッズを読み出し、これらを投票券取扱所２０−０〜２０−ｎに送出する。投票券取扱所ではこれをファイルに保持し、的中券の払戻しに際し照合する。
【００３８】
投票券取扱所２０−０〜２０−ｎは、投票券を発売したり、的中券を払戻しするものであって、各投票券取扱所２０−０〜２０−ｎは同一構成されているので、投票券取扱所２０−０について代表的に説明する。
【００３９】
投票券取扱所２０−０には表示装置２１、投票券払戻機２２、投票券発売機２３等が設置されている。通常これらは１台ではなくそれぞれ複数台設置されている。
【００４０】
表示装置２１は各レースのオッズを表示するものであり、フアンの希望によりオッズをプリントすることができる。
【００４１】
投票券払戻機２２は、的中した投票券をフアンが投入することにより、それに対する払戻が行われるものである。投入された投票券が的中券であることを、日付け、レース番号、種別、投票番号等を的中券識別表を参照することにより判定し、払戻が行われる。このとき本発明では、後述するように、投票券に印刷された日付け、レース番号、購入時刻にもとづき、初期間に購入されたものか、第２期間に購入されたものか、第３期間に購入されたものか、それとも最初期間に購入されたものか判断され、これに応じて前記初期間オッズ、第２期間オッズ、第３期間オッズ、最終オッズのいずれかのオッズにもとづく払戻しが行われる。
【００４２】
投票券発売機２３は、フアンが申込みカードを記入して投票券を購入するものである。このとき本発明では、後述するように、外れ券を利用することにより、その外れ券の購入した期間に応じてポイントが付与され、このポイントが金額に変換されて、投票券購入金額に使用することができるものである。
【００４３】
投票券発売機２３は、図３に示す如く、申込カード投入部３１、外れ券投入部３２、紙幣投入部３３、コイン投入部３４、タイマー３５、購入時刻記入部３６、ＣＰＵ３７、主記憶３８、表示部３９等を備えており、またファイル４０と接続されている。
【００４４】
申込カード投入部３１は、フアンが投票券を購入するためにその購入すべき投票券のレース名、識別（単勝、複勝、枠番連勝、馬番連勝、ワイド等）、番号、金額等を記入したものである。
【００４５】
外れ券投入部３２は、フアンが投票券の購入に際して外れ券を投入するものである。
【００４６】
紙幣投入部３３は、フアンが投票券の購入に際し使用する紙幣を投入するものである。
【００４７】
コイン投入部３４は、フアンが投票券の購入に際し使用するコインを投入するものである。
【００４８】
時刻記入部３６は、発売した投票券に対し、日付けやレース番号、識別、番号等の従来の投票データの外に、発売時刻を記入するものである。図５（Ｂ）に発売した投票券の１例を示す。この投票券４０は、２０００年のＡＢＣ競馬場の第４回３日目（６月２４日）に行われた第６レースの単勝式の馬番９番の投票券を１０００円購入したこと及びその購入時刻が１１時４０分であったことを示している。
【００４９】
ＣＰＵ３７は、申込カードに記入されたデータを読み取り、フアンが購入する投票券の合計金額を算出したり、紙幣投入部３３及びコイン投入部３４から投入された紙幣、コインの真偽及び金額を判別し、投入金額の合計を算出したり、外れ券投入部３２から投入された外れ券のポイント合計及びその金額換算を行ったり、購入する投票券の合計金額を表示部３９に表示処理したり、外れ券投入部３２から投入された外れ券の合計額を表示処理したり、投入された紙幣の金額を表示する等投票券発売機２３を総合制御するものであり、制御に必要なデータをファイル４０から読み出したり、センターから送出されたデータ、例えば期別照合テーブル８をファイル４０に格納する等の処理を行うものである。
【００５０】
主記憶３８はＣＰＵ３７の動作に必要なデータを保持したり、ＣＰＵ３７の動作のために必要な作業領域を確保するものである。
【００５１】
表示部３９は、フアンが記入した申込カードから読取った投票券の購入金額を表示したり紙幣やコインの総額を表示したり、外れ券のトータルポイントに相当する金額を表示したり、フアンが申込カードに記入した投票券を購入するのに必要な不足額を表示したり、購入するための操作を指示する等、投票券の購入に必要な表示を行うものである。
【００５２】
次に本発明の投票券発売機の動作を図４、図５にもとづき説明する。
【００５３】
投票券発売機が電源投入され、動作状態になると、センター１から、投票券有効期間（例えばレース終了後６０日）以内の各レースについて、図１（Ｂ）に示す初期間の終了を示す時刻Ｔ3 、第２期間の終了を示す時刻Ｔ2 、第３期間の終了を示す時刻Ｔ1 等が送出され、ＣＰＵ３７はこれらをファイル４０に格納する。
【００５４】
Ｓ１．投票券発売機２３ではフアンから投票券購入のための申込みカードが申込カード投入部３１に投入されるまで待つ。
【００５５】
Ｓ２．申込みカードが投入されたとき、ＣＰＵ３７は外れ券投入部３２に外れ券が投入されているか否かを判別する。
【００５６】
Ｓ３．外れ券投入部３２に外れ券が投入されていなければ、ＣＰＵ３７は紙幣投入部３３またはコイン投入部３４に貨幣が投入されているか否かを判別する。そして外れ券も貨幣も投入されていなければそのまま一定時間待つ。そして貨幣が投入されていれば、ＣＰＵ３７はその投入された貨幣の真偽と金額を判別し、真の貨幣の金額を計算する。
【００５７】
Ｓ４．ところで前記Ｓ２において、外れ券が投入されていれば、ＣＰＵ３７は後述する図５に示す動作を行い、外れ券のポイントを演算する。
【００５８】
Ｓ５．ＣＰＵ３７は、この外れ券のポイントを、例えば１ポイント１円の如く、あらかじめ定められたレートにもとづき金額に換算する。
【００５９】
Ｓ６．それからＣＰＵ３７は、前記Ｓ３で計算した投入された貨幣の金額と、前記Ｓ５で換算したポイントにもとづく換算金額との和を求める。そしてこの和が前記Ｓ１で投入された申込カードに記入された投票券の購入金額とが一致するか否か判別する。
【００６０】
Ｓ７．一致しなければ、ＣＰＵ３７はその不足額を表示部３９に表示し、フアンに対し不足額の投入を求める。
【００６１】
Ｓ８．フアンはこれを見ても不足額の貨幣を投入しなければ投票券の発売は行わず、終了となる。このとき、それまで投入された貨幣や外れ券はフアンに返却される。しかしフアンが貨幣を投入すれば、前記Ｓ６に戻り、申込額に対する一致不一致が判別される。
【００６２】
Ｓ９．そして投票券の購入金額とこれらの和が一致すれば申込まれた投票券の発券処理が行われる。勿論この投票券には、図５（Ｂ）に示す投票券４１に明示の如く、発売時刻が記録される。このようにして投票券の発行動作は終了する。
【００６３】
次に前記Ｓ４における外れ券のポイント演算動作について、図５（Ａ）により説明する。
【００６４】
Ｓ１１．外れ券投入部３２に投入された外れ券は、外れ券投入部３２に設けられた投票券解読部（図示省略）により、その発券された対象の競馬場名、日、時、レース番号、等の読取信号がＣＰＵ３７に伝達されるので、ＣＰＵ３７はこれらを識別する。そして有効期間内の外れ券か否かを判別する。
【００６５】
Ｓ１２．それからＣＰＵ３７は、ファイル４０から主記憶３８に記入した期別照合テーブル８を参照して、競馬場名、日、レース番号よりその投票券の購入時刻から期間を判別し、例えば第２期間であることを判別する。
【００６６】
Ｓ１３．ＣＰＵ３７は、図１（Ａ）に示す如く、投票券の購入が初期間ではＰ3 ポイント、第２期間ではＰ2 ポイント、第３期間ではＰ1 ポイント、最終期間ではＰ0 ポイントというポイントが付与されることを、プログラムで認識しているので、この１枚目の外れ券に対しポイントＰ2 が付与される。
【００６７】
Ｓ１４. ＣＰＵ３７は、この外れ券のポイントＰ2 を、他の外れ券のポイントと合計するが、１枚目は他の外れ券がないので０と加算され、結局０＋Ｐ2 ＝Ｐ2 が記憶される。
【００６８】
Ｓ１５．ＣＰＵ３７は、２枚目の外れ券が外れ券投入部３２にあることを認識して、この２枚目の外れ券の前記各データを受取り、同様に判別の結果、今度は第３期間に購入したものであり、そのポイントはＰ1 であるので、（Ｐ2 ＋Ｐ1 ）が記憶される。このようにして、外れ券投入部３２にある全部の外れ券に対してポイント演算動作が終了したとき、各外れ券のポイントの合計ポイント値Ｐｓが求められる。
【００６９】
このポイント値Ｐｓは、前記Ｓ５により金額に換算され投票券の購入に使用されることになる。
【００７０】
なお前記Ｓ６において、換算金額に余りがでても、それが外れ券の合計額以内の場合なら外れ券はそのまま回収され、返却されない。
【００７１】
本発明によれば、投票券発売期間を複数に分けて、リアルタイムで変更するオッズを各期の終了時間のオッズを使用して払戻金額にする。そして同時に早期購入者に対して、外れ券に対する優遇サービスを付加する。的中券に対しては、各期の終了時間のオッズを使用して払戻金とすることにより、最終オッズを使用する場合よりも払戻金が高くなることがあり、投票券の早期購入をもたらすことになる。
【００７２】
前記説明では発売期間を４つに分けた例について説明したが、本発明は勿論これに限定されるものではなく、また期毎に例示したポイントもこれに限定されるものではない。勿論１ポイント＝１円に換算することに限定されるものではない。
【００７３】
また、午前中発走の場合はＴ1 を発走時刻（予定時刻）Ｔ0 の５分前に、Ｔ2 を１０分前に、Ｔ3 を３０分前に定め、その日のメインレースの行われる午後３時３０分発走の場合は、Ｔ1 をＴ0 の２０分前に、Ｔ2 を１時間前に、Ｔ3 を２時間前に定めることができるが、これらもあくまで１例であり、これに限定されるものではない。
【００７４】
なお前記説明では換算金額に余りがでても外れ券が返却されない例について記載したが、本発明ではこれを返却することも出来る。
【００７５】
また前記説明では競馬競技の例について説明したが、本発明はこれに限定されるものではなく、競輪や他の競技にも勿論適用できるものである。
【００７６】
【発明の効果】
本発明によれば下記の効果を奏する。
【００７７】
（１）早期に購入する場合、最終オッズよりも払戻金が高くなる場合もあり、早期購入が行われ易くなり、投票券購入の混雑が緩和され、投票券発売機の設置台数を抑制できる。また外れ投票券に対してポイントを付与し、このポイントに応じた金額を求め、この金額を投票券購入代金の一部あるいは全部に使用することができるので、外れ券を投票券の購入に有効利用することができるため、レース終了後に回収されず、ユーザが廃棄する外れ券の枚数が大幅に減少することになり、競技場等の周囲の美観を保つのみならず、その清掃費を大幅に節約することができる。
【００７８】
（２）ポイントを投票券の発売終了時に近い程小さく設定したので、ユーザは早めに投票券を購入することになり、終了間際に投票券の購入の集中することが大きく緩和されるので、投票券発売機の設置台数をこの集中緩和のために増設する必要がなくなる。
【図面の簡単な説明】
【図１】本発明の原理説明図である。
【図２】本発明におけるセンター説明図である。
【図３】本発明における投票券発売機の構成説明図である。
【図４】本発明における投票券発売機の動作説明図である。
【図５】本発明における投票券発売機の外れ券のポイント演算動作説明図である。
【図６】従来例説明図である。
【符号の説明】
１  センター
２  ＣＰＵ
３  主記憶
４  入力制御部
５  表示部
６  ファイル
７  タイマー
８  期別照合テーブル
１１  オッズ算出部
１２  期限出力部
１３  初期間オッズ保持部
１４  第２期間オッズ保持部
１５  第３期間オッズ保持部
１６  最終オッズ保持部
１７  出力制御部
２０−０〜２０−ｎ  投票券取扱部
２１  表示装置
２２  的中券払戻機
２３  投票券発売機
【図１】
0004732603.tif 000002
【図２】
0004732603.tif 000003
【図３】
0004732603.tif 000004
【図４】
0004732603.tif 000005
【図５】
0004732603.tif 000006
【図６】
0004732603.tif 000007